(57)【要約】【課題】フィルタユニットの交換頻度を最小限に抑え、ガスタービンの稼働効率を格段と向上させるとともに、交換することによって生じる使用済フィルタユニットの処分を環境面、コスト面で最小限に抑え得るフィルタ再生装置およびフィルタ再生方法を提供する。【解決手段】フィルタ再生装置においては、ガスタービンの吸気口に多数設けられるフィルタユニット１０を再生するフィルタ再生装置２０であって、各フィルタユニット１０が捕集した粉塵を吸引するためのブロア２３と、これを各フィルタユニット１０に取り付けるための吸込口２１を設けるようにした。また、フィルタ再生方法においては、各フィルタユニット１０にフィルタ再生装置２０を取り付け、これによって各フィルタユニット１０が捕集した粉塵を吸引するようにした。【選択図】　　　図１
2004036447.tif 000002
【特許請求の範囲】
【請求項１】
ガスタービンが吸入する空気中の粉塵を除去するために、上記ガスタービンの吸気口に多数設けられるフィルタユニットを再生するフィルタ再生装置であって、
上記フィルタユニットの吸気側に取り付けられて上記粉塵を吸引する取付部と、
上記取付部に吸引力を付与する吸引力付与手段と、
を具えることを特徴とするフィルタ再生装置。
【請求項２】
上記取付部の吸引面が、上記フィルタユニット内のろ材面に対面する形状であることを特徴とする請求項１に記載のフィルタ再生装置。
【請求項３】
上記取付部の吸引面が、上記フィルタユニット内のろ材面を覆う形状であることを特徴とする請求項１に記載のフィルタ再生装置。
【請求項４】
上記取付部の吸引面が、上記フィルタユニット内の全ろ材面に対向する形状を有することを特徴とする請求項１ないし３のいずれかに記載のフィルタ再生装置。
【請求項５】
各上記フィルタユニットが、それぞれ枠内に、ろ材を蛇腹形状に収めてなり、
上記取付部の吸引面が、上記蛇腹形状の一折れの形状に対向する形状を有することを特徴とする請求項１に記載のフィルタ再生装置。
【請求項６】
各上記フィルタユニットが、それぞれ枠内に、ろ材を蛇腹形状に収めてなり、上記取付部の吸引面が、上記蛇腹形状の前面に対向する形状を有することを特徴とする請求項１に記載のフィルタ再生装置。
【請求項７】
上記吸引力付与手段の吸引力が、上記ガスタービンの上記空気を吸入する吸入力よりも大きいことを特徴とする請求項１ないし６のいずれかに記載のフィルタ再生装置。
【請求項８】
上記ガスタービンの運転中に上記フィルタユニットが捕集した上記粉塵を吸引し、上記フィルタを再生することを特徴とする請求項７に記載のフィルタ再生装置。
【請求項９】
ガスタービンが吸入する空気中の粉塵を除去するために、上記ガスタービンの吸気口に多数設けられるフィルタユニットが、許容される圧力損失を超えない様に新たなフィルタユニットと交換して再生させるフィルタ再生方法において、
上記フィルタユニットを新たなフィルタユニットと交換する交換工程よりも前に、各上記フィルタユニットに、フィルタ再生装置を取り付ける準備工程と、
上記フィルタ再生装置によって各上記フィルタユニットが捕集した上記粉塵を吸引する吸引工程と
を具えることを特徴とするフィルタ再生方法。
【発明の詳細な説明】
【０００１】
【発明の属する技術分野】
本発明は、フィルタ再生方法に関し、特にガスタービンの吸気口に複数設けられるフィルタユニットの再生方法に適して好適なものである。
【０００２】
【従来の技術】
従来、ガスタービンでは、燃焼用等に供給される空気中に含まれる粉塵によって空気圧縮機翼が汚されたり、高温雰囲気中で作動するタービン翼に設けられる冷却用空気通路が目詰まりしたりするのを防止するため、燃焼用等に高圧圧縮空気を供給する空気圧縮機の吸入口側に、空気中の粉塵を除去するためのフィルタが設置されている。
【０００３】
例えば、図５に示すように、空気圧縮機翼を有し、タービン翼を設けたタービン３で駆動される圧縮機２で、その吸入口側から供給した空気８を圧縮し、この圧縮空気２１と燃料６を燃焼器４で混合して燃焼させた燃焼ガスでタービン３を作動させ、発電機５および圧縮機２を駆動して発電を行うガスタービン１では、上述したように、圧縮機２の吸入口側における空気８中に含まれる粉塵を除去するためのフィルタであるフィルタユニット１０を複数設けている。
【０００４】
このフィルタユニット１０は、例えば図６に示すように、枠１１内に接着剤等からなるシール材を介してプリーツ形状のろ材１３を、蛇腹形状（いわゆるジグザグ形状）に配設してなるものであり、圧縮機２の吸入口側に供給される空気８（図５参照）を通すための空隙を設けたろ材１３によって、通過する空気８中に含まれる粉塵を除去するようになされている。因みに、このフィルタユニット１０はガスタービン１が１台に対して、通常、３００〜６００セット程度設けられている。
【０００５】
【発明が解決しようとする課題】
ところが、このようなフィルタユニット１０では、粉塵をろ材１３の表面や、プリーツ内部で捕集するので、粉塵が捕集されていくにつれ、つまり、通気時間が長くなるにつれ、ろ材１３の表面やプリーツ内部に粉塵が蓄積していくため、フィルタユニット１０が目詰まりを起こして圧力損失を上昇させ、この圧力損失が経時的に上昇する。フィルタユニット１０の過度な圧力損失の上昇は、フィルタのユニット１０の強度ならびに性能に悪影響を及ぼす。従って、フィルタユニット１０の圧力損失が許容値を超える前に、新たなフィルタユニット１０に交換して再生させる必要が有る。
【０００６】
特に、ガスタービン１が工場地帯などに設置されていると、付近の工場の煙突からの煤煙などにより、フィルタユニット１０は目詰まりし易く、また、黄砂の時期だと砂埃などにより、フィルタユニット１０が目詰まりし易い問題があった。
【０００７】
このため、従来はフィルタユニット１０の目詰まりが進行して圧力損失が上昇し、この圧力損失が、フィルタユニット１０の種類によって予め決められる規定値に達すると、このフィルタユニット１０を新しいものに交換するようにしていた。
【０００８】
しかしながら、ある事例では、このフィルタユニット１０の交換サイクルが１年間に２〜３回に及ぶものもあり、フィルタユニット１０のメンテナンスに多大な労力と費用をかける問題があった。
【０００９】
また、フィルタユニット１０の交換時には、ガスタービン１を停止しなければならない。このフィルタユニット１０は、ガスタービン１が１台に対し、３００〜６００セット程度設けられていることから、その交換に最低でも３日程度という時間を要し、その間、ガスタービン１を運転できない問題もあった。
【００１０】
このように、ガスタービン１を停止させてフィルタユニット１０を交換する場合、ガスタービン１の設置目的である電力供給に齟齬をきたすことから、通常、フィルタユニット１０の交換作業は、ガスタービン１のオーバーホールの際に合わせて行うようにしていた。
【００１１】
さらに、このように頻繁にフィルタユニット１０を交換していると、この交換によって生じる使用済フィルタユニットの量も増大する問題があり、この使用済フィルタユニットの処分に関しても、環境的に悪影響を与える恐れがあった。
【００１２】
本発明は、以上のような問題点に鑑みてなされたもので、フィルタユニットの交換頻度を最小限に抑え、ガスタービンの稼働効率を格段と向上させるとともに、交換することによって生じる使用済フィルタユニットの処分を環境面、コスト面で最小限に抑え得るフィルタ再生装置およびフィルタ再生方法を実現することを目的とする。
【００１３】
【課題を解決するための手段】
かかる課題を解決するため本発明においては、以下の手段を採用した。
請求項１に記載の発明は、ガスタービンが吸入する空気中の粉塵を除去するために、上記ガスタービンの吸気口に多数設けられるフィルタユニットを再生するフィルタ再生装置であって、上記フィルタユニットの吸気側に取り付けられて上記粉塵を吸引する取付部と、上記取付部に吸引力を付与する吸引力付与手段と、を具えることを特徴とする。
【００１４】
上述したフィルタ再生装置によれば、吸引手段が取付手段を介してフィルタユニットが捕集した粉塵を吸引し、この粉塵が蓄積することによって生じるフィルタユニットの目詰まりを解消するため、フィルタユニットの交換サイクル、すなわちフィルタユニットの寿命を延ばして、フィルタユニットの交換頻度を最小限に抑えることができる。
また、これにより、このフィルタユニットの交換に伴ったガスタービンの停止回数を低減させることができるため、ガスタービンの稼働効率を格段と向上させることができる。
さらに、フィルタユニットの交換頻度を最小限に抑えることから、この交換によって生じる使用済フィルタユニットも低減させることができるため、その処分を環境面、コスト面で最小限に抑えることができる。
【００１５】
また、請求項２に記載のフィルタ再生装置は、請求項１に係る発明において、上記取付部の吸引面が、上記フィルタユニット内のろ材面に対面する形状であることを特徴とする。
上述したフィルタ再生装置によれば、請求項１に記載の作用を確実に得ることができる。
【００１６】
また、請求項３に記載のフィルタ再生装置は、請求項１または２に係る発明において、上記取付部の吸引面が、上記フィルタユニット内のろ材面を覆う形状であることを特徴とする。
【００１７】
このフィルタ再生装置によれば、取付手段がろ材面を覆う吸引面を有することから、フィルタユニットから一括して粉塵を吸引できるため、フィルタユニット一つに対して一回の吸引作業で、このフィルタユニットが捕集した粉塵を吸引することができる。これにより、フィルタユニットのろ材の谷部を一つ一つ順次吸引していく場合に比べて、格段と効率よく吸引作業を行うことができる。
【００１８】
さらに、請求項４に記載のフィルタ再生装置は、請求項１ないし３のいずれかに係るフィルタ再生装置において、上記取付部の吸引面が、上記フィルタユニット内の全ろ材面に対向する形状を有することを特徴とする。
【００１９】
このフィルタ再生装置によれば、フィルタユニット一つに対して一回の吸引作業で、このフィルタユニットが捕集した粉塵を吸引することができる。
【００２０】
さらに、請求項５に記載のフィルタ再生装置は、請求項１に係る発明において、各上記フィルタユニットが、それぞれ枠内に、ろ材を蛇腹形状に収めてなり、上記取付部の吸引面が、上記蛇腹形状の一折れの形状に対向する形状を有することを特徴とする。
【００２１】
このフィルタ再生装置によれば、取付手段が、フィルタユニットのろ材が蛇腹形状であるがゆえに形成される複数の谷部のうちの一つと、ほぼ一致するように突出した山形状でなる吸引面を有することから、この吸引面を各フィルタユニットの谷部に順次差込み、この谷部に捕集された粉塵をより一層細かく吸引して、この粉塵が蓄積することによって生じるフィルタユニットの目詰まりの解消率、すなわちフィルタユニットの再生率を向上することができる。
【００２２】
請求項６に記載の発明は、請求項１に係るフィルタ再生装置において、各上記フィルタユニットが、それぞれ枠内に、ろ材を蛇腹形状に収めてなり、上記取付部の吸引面が、上記蛇腹形状の前面に対向する形状を有することを特徴とする。
【００２３】
このフィルタ再生装置によれば、取付手段に、フィルタユニットのろ材に形成される複数の谷部に対応した数の吸引面が設けられることから、フィルタユニット一つに対して一回の吸引作業で全ての谷部の吸引を行うため、このろ材の谷部を一つ一つ順次吸引していく場合に比べて、格段と効率よく吸引作業を行うことができる。
【００２４】
請求項７に記載の発明は、請求項１ないし６のいずれかに記載のフィルタ再生装置において、上記吸引力付与手段の吸引力が、上記ガスタービンの上記空気を吸入する吸入力よりも大きいことを特徴とする。
【００２５】
このフィルタ再生装置によれば、吸引手段の吸引力が、ガスタービンの空気を吸入する吸入力よりも大きいことから、ガスタービンが空気を吸入している運転中においても、その吸入力よりも大きい吸引力を有する吸引手段によって、フィルタユニットが捕集した粉塵を吸引するため、ガスタービンを停止させることなく、粉塵が蓄積することによって生じるフィルタユニットの目詰まりを解消することができる。
【００２６】
請求項８に記載の発明は、請求項７に係るフィルタ再生装置において、ガスタービンの運転中に上記フィルタユニットが捕集した上記粉塵を吸引し、上記フィルタを再生することを特徴とする。
【００２７】
このフィルタ再生装置によれば、運転中であっても、上記請求項１に記載のフィルタ再生装置と同様の作用を得ることができる。
【００２８】
請求項９に記載の発明は、ガスタービンが吸入する空気中の粉塵を除去するために、上記ガスタービンの吸気口に多数設けられるフィルタユニットが、許容される圧力損失を超えない様に新たなフィルタユニットと交換して再生させるフィルタ再生方法において、上記フィルタユニットを新たなフィルタユニットと交換する交換工程よりも前に、各上記フィルタユニットに、フィルタ再生装置を取り付ける準備工程と、上記フィルタ再生装置によって各上記フィルタユニットが捕集した上記粉塵を吸引する吸引工程とを具えることを特徴とする。
【００２９】
上述したフィルタ再生方法によれば、フィルタユニットを新たなフィルタユニットと交換する交換工程よりも前に、フィルタユニットが捕集した粉塵をフィルタ再生装置によって吸引し、この粉塵が蓄積することによって生じるフィルタユニットの目詰まりを解消する。このため、交換工程までのサイクル、すなわちフィルタユニットの寿命を延ばすことができ、フィルタユニットの交換頻度を最小限に抑えることができる。
【００３０】
【発明の実施の形態】
以下、図面に基づき、本発明における一実施の形態について詳述する。
【００３１】
図１は、本発明に係るフィルタ再生装置の一実施の形態を示す概略構成図である。図１において、２０は全体として本発明に係るフィルタ再生装置を示し、各フィルタユニット１０が捕集した粉塵を吸引するための吸引手段であるブロア２３と、このブロア２３を各フィルタユニット１０に取り付けるための取付手段である吸込口２１、フレキシブルホース２４とを備えている。実際上、ブロア２３と吸込口２１とは、フレキシブルホース２４によって、吸引した粉塵を集積するためのバグフィルタ２２を介して物理的に接続されている。
【００３２】
この吸込口２１（吸引面）は、例えば図２および図３に示すように、フィルタユニット１０のろ材１３が蛇腹形状であるがゆえに形成される複数の同形状でなる谷部のうちの一つと、ほぼ一致するように突出した山形状の六面体でなる。また、その谷部と対向する面には、粉塵吸込用の孔２１Ａが多数穿設されているとともに、谷部の入口側の面のほぼ中央には、フレキシブルホース２４が取り付けられている。
【００３３】
そして、このフィルタ再生装置２０は、その吸込口２１をフィルタユニット１０の谷部に差し込んだ状態でブロア２３を駆動することにより、吸込口２１に吸引力を与えて、フィルタユニット１０の谷部に捕集された粉塵を、この吸込口２１の孔２１Ａから吸引するようになされている。
【００３４】
さて、かかる構成のフィルタ再生装置２０を用いたフィルタ再生方法は、まず、準備工程として、フィルタ再生装置２０の吸込口２１をフィルタユニット１０に取り付ける。すなわち、吸込口２１をフィルタユニット１０のろ材１３の谷部に差し込む。次に、吸引工程として、フィルタ再生装置２０のブロア２３を駆動させ、フィルタユニット１０が捕集した粉塵を吸込口２１の孔２１Ａから吸引する。
【００３５】
このとき、ブロア２３によって生成される吸込口２１の吸引力は、例えばガスタービン１の圧縮機２における吸入口側の吸入力よりも、少なくとも２倍程度大きく設定されている。このため、このフィルタ再生装置２０は、ガスタービン１が運転している状態においても（すなわち、ガスタービン１の運転を停止させることなく）、フィルタユニット１０から粉塵を吸引することができる。
【００３６】
このようにして、このフィルタ再生方法では、フィルタユニット１０が捕集した粉塵によって目詰まりが進行して圧力損失が上昇し、この圧力損失が、フィルタユニット１０の種類によって予め決められる規定値に達する前に、フィルタ再生装置２０によってフィルタユニット１０が捕集した粉塵を吸引する。このため、このフィルタユニット１０を新しいものに交換する交換工程までのサイクル、すなわちフィルタユニット１０の寿命を延ばすことができる。
【００３７】
一方、フィルタ再生装置２０において、吸引されたフィルタユニット１０の粉塵は、フレキシブルホース２４を介してバグフィルタ２２に導かれ、このバグフィルタ２２によって集積される。また、吸込口２１から吸引された空気は、フィルタユニット１０の粉塵とともにバグフィルタ２２に導かれ、このバグフィルタ２２によって粉塵と分離された後、フレキシブルホース２４を介してブロア２３に導かれ、このブロア２３から大気開放される。
【００３８】
従って、このフィルタ再生装置２０では、フィルタユニット１０が捕集した粉塵を吸込口２１から吸引し、この粉塵が蓄積することによって生じるフィルタユニット１０の目詰まりを解消するため、フィルタユニット１０の交換サイクル、すなわちフィルタユニット１０の寿命を延ばして、フィルタユニット１０の交換頻度を最小限に抑えることができる。
【００３９】
また、これにより、このフィルタユニット１０の交換に伴ったガスタービン１の停止回数を低減させることができるため、ガスタービン１の稼働効率を格段と向上させることができる。
【００４０】
さらに、フィルタユニット１０の交換頻度を最小限に抑えることから、この交換によって生じる使用済のフィルタユニット１０も低減することができるため、その処分を環境面、コスト面で最小限に抑えることができる。
【００４１】
しかも、吸込口２１がろ材１３の谷部と、ほぼ一致するように突出した山形状の六面体でなることから、フィルタユニット１０が捕集した粉塵をより一層細かく吸引して、この粉塵が蓄積することによって生じるフィルタユニット１０の目詰まりの解消率、すなわちフィルタユニット１０の再生率を向上することができる。
【００４２】
なお、本発明は上述した実施の形態に限定されるものではなく、本発明の趣旨を逸脱しない範囲において、種々の変更を加えることが可能である。例えば、フィルタ再生装置２０に、吸込口２１を自動的に搬送する搬送手段を設け、この搬送手段によって吸込口２１を各フィルタユニット１０に自動的に搬送するようにするようにすれば、ガスタービン１の運転中、逆洗フィルタとして活用することもできる。
【００４３】
また、上述した本実施の形態においては、吸込口として、フィルタユニット１０のろ材１３が蛇腹形状であるがゆえに形成される複数の同形状でなる谷部のうちの一つと、ほぼ一致するように突出した山形状の六面体でなる吸込口２１を用いるようにした場合について述べたが、本発明はこれに限らず、例えば図４（ａ）に示すように、この吸込口２１を、ろ材１３の谷部に対応させて複数設けてなる吸込部３０を形成するようにしてもよい。
【００４４】
この場合、吸込部３０がフィルタユニット１０のろ材１３に形成される複数の谷部に対応した数の吸込口２１を有することから、フィルタユニット１０一つに対して一回の吸引作業で、このフィルタユニット１０における全ての谷部の吸引を行うため、このろ材１３の谷部を一つ一つ順次吸引していく場合に比べて、格段と効率よく吸引作業を行うことができる利点を得ることができる。
【００４５】
さらに、その吸込口として、図４（ｂ）に示すようなフィルタユニット１０における空気の吸入側を全体的に覆う形状でなる吸込口４０を適用するようにすれば、この吸込口４０をフィルタユニット１０毎に取り付け、一つのフィルタユニット１０から一度に一括して粉塵を吸引するため、フィルタユニット１０一つに対して一回の吸引作業で、このフィルタユニット１０が捕集した粉塵を吸引することができる利点を得ることができる。
【００４６】
さらに、上述した本実施の形態においては、吸込口２１のろ材１３の谷部と対向する面に、粉塵吸込用の孔２１Ａが多数穿設されてなる場合について述べるが、本発明はこれに限らず、要は、ろ材１３の谷部から粉塵を吸引し得るものであれば、例えばろ材１３のプリーツ形状と対応するスリットを設けるようにしてもよく、この他種々のものを広く適用することができる。
【００４７】
【発明の効果】
上述のように請求項１に記載の発明によれば、フィルタ再生装置において、吸引手段が取付手段を介してフィルタユニットが捕集した粉塵を吸引し、この粉塵が蓄積することによって生じるフィルタユニットの目詰まりを解消するため、フィルタユニットの交換サイクル、すなわちフィルタユニットの寿命を延ばすことができ、かくしてフィルタユニットの交換頻度を最小限に抑え得るフィルタ再生装置を実現することができる。
また、このことから、このフィルタ再生装置では、フィルタユニットの交換に伴ったガスタービンの停止回数を低減させることができるため、ガスタービンの稼働効率を格段と向上させることができる。
さらに、このフィルタ再生装置では、フィルタユニットの交換頻度を最小限に抑えることから、この交換によって生じる使用済フィルタユニットも低減することができるため、使用済フィルタユニットの処分を環境面、コスト面で最小限に抑えることができる。
【００４８】
また、請求項２に記載の発明によれば、上記請求項１の効果を確実に得ることが可能となる。
【００４９】
また、請求項３に記載の発明によれば、取付部の吸引面形状が、ろ材面を覆うことから、フィルタユニット一つに対して一回の吸引作業で済み、格段と効率よく吸引作業を行うことが可能となる。
【００５０】
また、請求項４に記載の発明によれば、取付部の吸引面形状が、全ろ材面に対向する形状を有することから、フィルタユニット一つに対して一回の吸引作業で済み、格段と効率よく吸引作業を行うことが可能となる。
【００５１】
また、請求項５に記載の発明によれば、取付手段が、ろ材が蛇腹形状とほぼ一致する吸引面を有することから、谷部に捕集された粉塵をより一層細かく吸引して、フィルタユニットの再生率を向上することが可能となる。
【００５２】
また、請求項６に記載の発明によれば、取付手段が、フィルタユニットのろ材が蛇腹形状であるがゆえに形成される複数の谷部のうちの一つと、ほぼ一致するように突出した山形状でなる吸引面を有することから、この吸引面を各フィルタユニットの谷部に順次差込み、この谷部に捕集された粉塵をより一層細かく吸引して、この粉塵が蓄積することによって生じるフィルタユニットの目詰まりの解消率、すなわちフィルタユニットの再生率を向上することが可能となる。
【００５３】
また、請求項７に記載の発明によれば、吸引手段の吸引力が、ガスタービンの空気を吸入する吸入力よりも大きいことから、ガスタービンが空気を吸入している運転中においても、その吸入力よりも大きい吸引力を有する吸引手段によって、フィルタユニットが捕集した粉塵を吸引するため、ガスタービンを停止せることなく、粉塵が蓄積することによって生じるフィルタユニットの目詰まりを解消することができる。
【００５４】
また、請求項８に記載の発明によれば、運転中であっても、上記請求項１に記載のフィルタ再生装置と同様の効果を得ることができる。
【００５５】
また、請求項９に記載の発明によれば、フィルタユニットを新たなフィルタユニットと交換する交換工程よりも前に、フィルタユニットが捕集した粉塵をフィルタ再生装置によって吸引し、この粉塵が蓄積することによって生じるフィルタユニットの目詰まりを解消する。
このため、交換工程までのサイクル、すなわちフィルタユニットの寿命を延ばすことができ、フィルタユニットの交換頻度を最小限に抑え得るフィルタ再生方法を実現することができる。
また、このように、フィルタユニットの交換に伴ったガスタービンの停止回数を低減させることにより、ガスタービンの稼働効率を格段と向上させることができる。
さらに、フィルタユニットの交換頻度を最小限に抑えることから、この交換によって生じる使用済フィルタユニットも低減させることができるため、その処分を環境面、コスト面で最小限に抑えることができる。
【図面の簡単な説明】
【図１】本実施の形態によるフィルタ再生装置を示す概略構成図である。
【図２】フィルタ再生装置の要部を部分的に断面で示す斜視図である。
【図３】フィルタ再生装置の要部を示す横断面図である。
【図４】他の実施の形態による吸込口を示す横断面図である。
【図５】ガスタービンの構成を示す概略構成図である。
【図６】フィルタユニットを部分的に断面で示す概略斜視図である。
【符号の説明】
１　　　ガスタービン
８　　　空気
１０　　フィルタユニット
１１　　枠
１２　　シール材
１３　　ろ材
２０　　フィルタ再生装置
２１　　吸込口（取付手段）
２１Ａ　孔
２２　　バグフィルタ
２３　　ブロア（吸引手段）
２４　　フレキシブルホース（取付手段）
【図１】
2004036447.tif 000003
【図２】
2004036447.tif 000004
【図３】
2004036447.tif 000005
【図４】
2004036447.tif 000006
【図５】
2004036447.tif 000007
【図６】
2004036447.tif 000008